(57)【特許請求の範囲】
【請求項１】
スチームにより加熱される第１熱板と、電気ヒータにより加熱される第２熱板とで毛髪を挟持して毛髪をセットするヘアーアイロンにおいて、第１熱板の温度よりも高温になる第２熱板を備えて成ることを特徴とするヘアーアイロン。
【請求項２】
第１熱板と第２熱板の近傍に毛髪にテンションを加えるためのブリスルを配設して成ることを特徴とする請求項１記載のヘアーアイロン。
【請求項３】
スチームを噴出するスチーム噴出孔の近傍に水抜き孔を設けたことを特徴とする請求項１記載のヘアーアイロン。
【請求項４】
列設されたブリスルの最前列及び後列近傍にスチーム漏れ防止リブを設けたことを特徴とする請求項１記載のヘアーアイロン。
【発明の詳細な説明】
【０００１】
【発明の属する技術分野】
本発明は、くせ毛をストレートにする、またはカール付けをするためのヘアーアイロンに関するものである。
【０００２】
【従来の技術】
従来、くせ毛を伸ばしたり、カール付けを行う手段としてスチーム式のヘアーアイロンがある。このものは、相対向するように配された各熱板の間に毛髪を挟み込んだ状態で毛髪にスチームを付与することによってくせ毛を直したり、カール付けを行うようになっている。
【０００３】
【発明が解決しようとする課題】
しかし、上述のような従来例にあっては、熱板の面にて毛髪の癖を矯正する為に熱板と同一方向にある癖、曲がり等をとることができないという問題があった。また、一方の熱板からはスチームと熱を毛髪に与えるようになっているが、他方の熱板はスチーム及び熱の発生はなく、毛髪を保持しているだけであり、他方の熱板に接する毛髪には熱を加えることができないものとなっており、癖を直すのが困難であるという問題があった。
【０００４】
また、一方の熱板から発生したスチームは毛髪に吸収されるものであるが、他方の熱板近傍の毛髪に到達するまでに冷やされてしまい、他方の熱板側に位置する毛髪はスチームを吸収できない状態となり、この点からもスチームによる毛髪の癖取りが不確実なものとなっていた。
本発明は上記問題点の解決を目的とするものであり、生まれながらの髪質によるくせ毛や、矯正が困難とされているくせ毛を容易にストレートに伸ばしたり、カール付けすることができるヘアーアイロンを提供しようとするものである。
【０００５】
【課題を解決するための手段】
上記目的を達成するために、請求項１の発明では、スチームにより加熱される第１熱板１５と、電気ヒータにより加熱される第２熱板１６とで毛髪を挟持して毛髪をセットするヘアーアイロンにおいて、第１熱板１５の温度よりも高温になる第２熱板１６を備えたことを特徴とするものであり、冷えたスチームが当たって第２熱板１６が低温になるようなことがなく、各熱板１５，１６間で毛髪のセットを確実に行うことができる。
【０００６】
請求項２の発明では、請求項１において第１熱板１５と第２熱板１６の近傍に毛髪にテンションを加えるためのブリスル１３，１４を配設したことを特徴とするものであり、毛髪のセット時に毛髪にテンションを加えながら毛髪のセットを行うことができる。
請求項３の発明では、請求項１においてスチームを噴出するスチーム噴出孔１２の近傍に水抜き孔１７を設けたことを特徴とするものであり、スチームの発生に伴って内部に溜まった水を外部に放出することができる。
【０００７】
請求項４の発明では、請求項１において列設されたブリスル１３の最前列及び後列近傍にスチーム漏れ防止リブ３０を設けたことを特徴とするものであり、スチームが先端や把手部分に向けて漏れるのを防止することができる。
【０００８】
【発明の実施の形態】
以下、本発明におけるヘアーアイロンＡとして毛髪をストレートにするヘアーアイロンである場合について図面に基づいて詳述する。
ヘアーアイロンＡは、図１に示されるようにスチーム発生機構２を内蔵しているヘッド部４と、回路を内蔵すると共に使用時に保持する部分であるハンドル３とからなる本体１と、本体１の先端側に着脱可能であり、スチーム発生機構２へ水を供給する手段であるタンク６と、本体１のタンク６とは反対側の端部に支持されて本体１に対して開閉操作自在となった押さえ板７を備えている。
【０００９】
図１及び図２、図６乃至図８において、本体１のヘッド部４における毛髪と接する側には両外側に複数本のブリスル１３が設置されている。
一方、押さえ板７の本体１のヘッド部４と対面する部分には押さえ板ヒータブロック８が設置されており、この両外側に複数本のブリスル１４が設置されている。毛髪は図２に示されるような状態で押さえ板７と本体１との間に挟みこまれるようになっている。
【００１０】
本体１側にはスチームにより加熱される第１熱板１５が配されており、閉じ状態に回動移動させた場合に第１熱板１５と相対向するように押さえ板７には電気ヒータにより加熱される第２熱板１６が配されている。
各熱板１５，１６の加熱方式について以下説明する。
タンク６からフェルト９を介してヒータパイプ１０へ供給された水は、ヒータパイプ１０により加熱されて蒸気化し、この部分で発生したスチームはスチーム発生機構２に設置された放電電極１１間の放電により弱酸性化し、その粒子は微細化されて第１熱板１５に多数穿設されたスチーム噴出孔１２から放出されるようになっている。この時、スチームがスチーム発生機構２内部に充満することによりスチーム噴出孔１２と同じに形成された第１熱板１５は約１００℃まで熱せられる。この第１熱板１５はアルミニウム等の金属材料で一体形成されている。
【００１１】
また、押さえ板ヒータブロック８は図７、図８に示されるように内部にＰＴＣヒータＨ等の電気ヒータを内蔵し、その下に電極板１８，１９を配し、表面の第２熱板１６はアルミニウム等の金属で構成されている。電極１８と第２熱板１６間はセラミック等の絶縁板２０で絶縁されている。第２熱板１６は内部のＰＴＣヒータにより約１２０〜１５０℃まで加熱される。つまり、第２熱板１６は第１熱板１５の温度よりも高温になるようになっている。
【００１２】
次に癖直しを行う方法を説明する。
図２に示されるように本体１と押さえ板７との間に毛髪を挟み込み、両者１，７を閉じた状態でスチームを発生させると、本体１のスチーム噴出孔１２からスチームが噴出する。この状態でヘアーアイロンＡを図２の矢印の方向へ移動させると髪は本体１のブリスル１３→押さえ板７のブリスル１４→本体１のブリスル１３→第１熱板１５と第２熱板１６間→本体ブリスル１３→押さえ板ブリスル１４→本体ブリスル１３の順で通過する。このとき、毛髪は最初にブリスル１３、１４により櫛通しされてブリスル１３、１４と直交する方向の癖が矯正される。
【００１３】
次に第１熱板１５と第２熱板１６によりプレスされることによりブリスル１３，１４を通過してしまうような毛髪の癖、曲がりを伸ばすことができる。
このプレスを行う時、第１熱板１５はスチームにより約１００℃に加熱されており、この第１熱板１５に近い毛髪は効果的にプレスされる。また、第２熱板１６は内部に設けられたＰＴＣヒータＨにより約１２０〜１５０℃に加熱されており、これは、本体１のスチーム噴出孔１２から出たスチームが毛髪により冷やされ、第２熱板１６付近では低温になることを防止し、効果的に癖直しができる。本実施形態では第２熱板１６を加温する電気ヒータにＰＴＣヒータＨを用いたが、これに限定されるものではなくヒータの種類は問わない。
【００１４】
スチーム発生機構２に水を供給するタンク６には図９、図１０に示されるように突出引退自在となった着脱釦４０と、係止凸部４１が設けられており、本体１にはバネ４２にて外方に突出付勢された係止フック４３が設けられている。そして、このタンク６は図９及び図１０（ａ）に示される状態より本体１側に向けてスライド移動させることで図１０（ｂ）に示されるように係止フック４３と係止凸部４１とが相互に係合してタンク６の取り付けが行われるものであり、また、着脱釦４０を内方に押し込んで係止フック４３をバネ力に抗して内方に移動させて係止フック４３と係止凸部４１との係合を外すことによってタンク６を本体１より取り外すことができるようになっている。つまり、タンク６の着脱方式を従来の本体１に挿入し、回転して固定する方式からスライドして挿入する方式にすることにより、一つの動作（本体１側へのスライド移動）により取り付けることができ、取り付けが容易なものとなっている。また、タンク６を取り外す場合にも着脱釦４０を操作して外方へ引くだけの動作により取り外すことができ、取り外しが容易なものとなっている。
【００１５】
以上の構成によりタンク１の着脱が押し込むまたは引き抜くという一つの動作で行える。本実施形態ではタンク６の両側部及び本体１の両側部にこの機構をそれぞれ設けたが、片側だけに設けるようにしてあってもよい。
スチームを噴出するスチーム噴出孔１２の近傍には水抜き孔１７が設けられており、スチーム発生機構２の内部に溜まった水を自然に外部に放出することができるようになっている。
【００１６】
つまり、図１１に示されるように本体１を横向きに放置した場合、内部に水が溜まっても外部に放出できないが、スチーム噴出孔１２の外側に水抜き孔１７を構成するφ２程度の小孔１７ａを開け、この内側に気化フェルト２３を配置する。これにより内部に溜まった水はこのフェルト２３を伝い、水抜き孔１７より外部へ放出される。本実施形態では水抜き孔１７は２か所であるが、２か所以上に設けるようにしてあってもよい。
【００１７】
ブリスル１３，１４の最前列及び後部にはスチーム漏れ防止用リブ３０が設けられており、本体１と押さえ板７を閉じた状態で毛髪を挟まない時、先端及び取っ手部よりスチームが漏れるのを防ぐようになっている。このスチーム漏れ防止用リブ３０は毛髪の流れる方向に巾約２〜４ｍｍ程度に細く形成され、閉じた時、髪の毛を挟むよう閉じた時の隙間より約１ｍｍ程度低く形成されている。
【００１８】
本実施形態では本体１側に設けるようにしたものを示しているが、押さえ板７側に設けるようにしてあってもよい。
図１１に示されるようにスチーム噴出孔１２は第１熱板１５の表面より奥方に位置するように第１熱板１５は断面凹状とされている。（本実施形態では約４ｍｍ奥方に位置するようにスチーム噴出孔１２が配置されている。）これによって、毛髪を挟んでいない時に外部に漏れるスチームの温度をスチームの経路を長くしたことにより温度を下げるようにして使用者が火傷等を起こす恐れを少なくしている。
【００１９】
【発明の効果】
請求項１の発明は、スチームにより加熱される第１熱板と、電気ヒータにより加熱される第２熱板とで毛髪を挟持して毛髪をセットするヘアーアイロンにおいて、第１熱板の温度よりも高温になる第２熱板を備えているので、毛髪をセットするにあたってスチーム式なので毛髪が傷まず、また、両側に熱板があるので効果的に毛髪セットができ、しかも、第２熱板は第１熱板の温度よりも高温になるようになっているために冷えたスチームが当たって第２熱板が低温になるようなことがなく、各熱板間で毛髪のセットを確実に行うことができるものである。
【００２０】
請求項２の発明は、請求項１において第１熱板と第２熱板の近傍に毛髪にテンションを加えるためのブリスルを配設してあるので、請求項１の効果に加えて毛髪のセット時に毛髪にテンションを加えることができるものであり、毛髪セットを効果的に行うことができるものである。
請求項３の発明は、請求項１においてスチームを噴出するスチーム噴出孔の近傍に水抜き孔を設けてあるので、請求項１の効果に加えてスチームの発生に伴って内部に溜まった水を外部に放出することができるものである。
【００２１】
請求項４の発明は、請求項１において列設されたブリスルの最前列及び後列近傍にスチーム漏れ防止リブを設けてあるので、請求項１の効果に加えてスチームが先端や把手部分に向けて漏れるのを防止することができるものである。
【図面の簡単な説明】
【図１】本発明の一例を示す断面図である。
【図２】同上の使用状態を説明する説明図である。
【図３】スチーム発生機構を示す部分拡大断面図である。
【図４】スチーム発生機構を説明する一部破断した説明図である。
【図５】タンクの設置状態を説明する一部破断した説明図である。
【図６】スチーム漏れ防止リブの配置状態を説明する説明図である。
【図７】押さえ板ヒータブロックの配置状態を説明する説明図である。
【図８】押さえ板の一部省略した断面図である。
【図９】タンクの設置状態を説明する分解斜視図である。
【図１０】（ａ）（ｂ）（ｃ）はタンクの着脱手順を説明する説明図である。
【図１１】図４におけるイ−イ線断面図である。
【符号の説明】
１２  スチーム噴出孔
１３  ブリスル
１４  ブリスル
１５  第１熱板
１６  第２熱板
１７  水抜き孔
３０  スチーム漏れ防止リブ
【図１】
0003674126.tif 000002
【図２】
0003674126.tif 000003
【図３】
0003674126.tif 000004
【図４】
0003674126.tif 000005
【図５】
0003674126.tif 000006
【図６】
0003674126.tif 000007
【図７】
0003674126.tif 000008
【図８】
0003674126.tif 000009
【図９】
0003674126.tif 000010
【図１０】
0003674126.tif 000011
【図１１】
0003674126.tif 000012